(57)【特許請求の範囲】
【請求項１】
懸架され取り付けられる物干し装置であって、懸架され取り付けられるための複数の取り付け部と、両端にある前記複数の取り付け部間に設置され、長手方向に折りたたみ可能な物干し部と、透明な素材で前記物干し部と平行方向に折りたたみ可能な天井面部と、前記物干し部と平行方向に折りたたみ可能で、少なくとも長手側の一面が不透明である側面部と、前記側面部短手面上方にあり、通気を確保する通気面部と、前記側面の少なくとも一箇所に第一の係止手段を設けたことを特徴とする洗濯物カバー付物干し装置。
【請求項２】
懸架され取り付けられる物干し装置であって、懸架され取り付けられるための複数の取り付け部と、両端にある前記複数の取り付け部間に設置され、アンテナ状に伸縮可能な物干し部と、透明な素材で前記物干し部と平行方向に折りたたみ可能な天井面部と、前記物干し部と平行方向に折りたたみ可能で、少なくとも長手側の一面が不透明である側面部と、前記側面部短手面上方にあり、通気を確保する通気面部と、前記側面の少なくとも一箇所に第一の係止手段を設けたことを特徴とする洗濯物カバー付物干し装置。
【請求項３】
前記物干し部が、両端のうち一方の前記取り付け部との接合部において、前記第一の係止手段と平行方向に折曲する請求項１または２に記載の洗濯物カバー付物干し装置。
【請求項４】
前記側面部の長手面の両下端部に第二の係止手段をもつ請求項１乃至３のいずれかに記載の洗濯物カバー付物干し装置。
【請求項５】
前記側面部が前記天井面部により覆設されている請求項１乃至４のいずれかに記載の洗濯物カバー付物干し装置。
【請求項６】
前記通気面部が前記天井面部により覆設されている請求項１乃至５のいずれかに記載の洗濯物カバー付物干し装置。
【請求項７】
前記天井面部および前記側面部の長手側の面が蛇腹になっている請求項１乃至６のいずれかに記載の洗濯物カバー付物干し装置。
【発明の詳細な説明】
【０００１】
【発明の属する技術分野】
本発明は、降雨の時でも洗濯物が雨に濡れず、さらには折りたたみ可能で保管しやすい洗濯物カバー付物干し装置に関する。
【０００２】
【従来の技術】
従来、洗濯物を覆う装置としては、花粉や昆虫から洗濯物を守るもの、降雨時に洗濯物が濡れないようにされているもの、盗難防止用のものが数多く提案されている。
【０００３】
花粉や昆虫から洗濯物を守るものとしては、洗濯物を全閉的に覆い隠すものが多く、それにより花粉や昆虫の付着を防止している。降雨時に洗濯物が濡れないようにされているものとしては、テント型や、下部が開口したものが提案されている。盗難防止用のものとしては、上下部が開口したものが提案されている。
【０００４】
例えば、降雨時に洗濯物が濡れないようにされているものとして、実公平７−３２７８３号公報に記載されているような、物干し竿の上部に支持台を設置し、そこにロープをかけてテントを張り雨水などの滞留をも防止できるテントが開示されている。
【０００５】
【発明が解決しようとする課題】
上述のような全閉的に覆い隠すものは、洗濯物は濡れている事が前提であるから場合によっては蒸れてしまい、匂いがついてしまう事があった。さらには、取り外すのに手間がかかってしまっていた。
【０００６】
テント型のものは、晴れている場合には邪魔になってしまうだけでなく、物干しの重心が上がってしまうため、設置が不安定になるという問題点があった。さらには、固定式であるために引っ越しや、その他場所を移す場合には移動できないといった不具合があった。
【０００７】
上下開口したものや、下部が空いているものは、通気性に優れてはいるが、強風により舞い上がった粉塵等が付着しやすく、女性用下着等が盗まれやすいといった問題点があった。
【０００８】
本発明は、上述のような事情よりなされたものであり、本発明の目的は、物干し竿に釣り下げる形の全天候型の洗濯物カバーであって、不使用時には収納可能である洗濯物カバー付物干し装置を提供することにある。
【０００９】
【課題を解決するための手段】
本発明は、洗濯物カバー付物干し装置に関し、本発明の上記目的は、懸架され取り付けられる物干し装置であって、懸架され取り付けられるための複数の取り付け部と、両端にある前記複数の取り付け部間に設置され、長手方向に折りたたみ可能な物干し部と、透明な素材で前記物干し部と平行方向に折りたたみ可能な天井面部と、前記物干し部と平行方向に折りたたみ可能で、少なくとも長手側の一面が不透明である側面部と、前記側面部短手面上方にあり、通気を確保する通気面部と、前記側面の少なくとも一箇所に第一の係止手段を設けたことによって達成される。
【００１０】
また、本発明の上記目的は、懸架され取り付けられる物干し装置であって、懸架され取り付けられるための複数の取り付け部と、両端にある前記複数の取り付け部間に設置され、アンテナ状に伸縮可能な物干し部と、透明な素材で前記物干し部と平行方向に折りたたみ可能な天井面部と、前記物干し部と平行方向に折りたたみ可能で、少なくとも長手側の一面が不透明である側面部と、前記側面部短手面上方にあり、通気を確保する通気面部と、前記側面の少なくとも一箇所に第一の係止手段を設けたことによって達成される。
【００１１】
また、本発明の上記目的は前記物干し部が、両端のうち一方の前記取り付け部との接合部において、前記第一の係止手段と平行方向に折曲することにより、或は前記側面部の長手面の両下端部に第二の係止手段をもつことにより、或は前記側面部が前記天井面部により覆設されていることにより、或は前記通気面部が前記天井面部により覆設されていることにより、或は前記天井面部および前記側面部の長手側の面が蛇腹になっていることによって、より効果的に達成される。
【００１２】
【発明の実施の形態】
本発明は、従来の物干し竿に、収納された状態の本装置、洗濯物カバー付物干し装置を展開して釣り下げ、ファスナー等の係止手段をその天候にあわせて開閉する事で、上述した花粉防止、昆虫防止、雨防止、盗難防止の機能を１装置で充足する。
【００１３】
以下、図面を用いて本発明を説明する。
【００１４】
図１は、本発明である洗濯物カバー付物干し装置の斜視図である。
【００１５】
また、図２は本装置の側面図、図３は本装置のIII−III切断図である。
【００１６】
本発明である、洗濯物カバー付物干し装置１は、物干し竿２に引っかけて取付けるための取り付け用フック３、洗濯物を干したり取り込んだりする際に開けて使用するファスナー４、後述する側面部上方に位置しその面が物干し竿２方向に傾斜している側面上方部５、メッシュ等の生地によって本装置内の通気性を確保する通気面部６、雨を避けつつ日光を取り入れるための天井面部７、ファスナーにより開閉ができる側面部８、収納する際に蛇腹のように纏めることができ、下部にファスナーをもつ側面蛇腹部９により構成されている。
【００１７】
また、本装置内部には洗濯物を干すための洗濯物用物干し竿３１が含まれている。
【００１８】
本装置を雨の日に使用したい場合、取り付け用フック３を物干し竿２に対して掛ける。ファスナー４を空け、洗濯物を本装置内部にある洗濯物用物干し竿３１に掛け、その後ファスナー４を閉める事により雨をしのぐ事ができる。雨は、天井面部７により避けられ、さらには天井面部７が傾斜し、蛇腹になっている事により雨水が溜まることも無い。天井面部７が側面蛇腹面部９より突き出ているので、側面蛇腹部９に天井面部７に降った雨がかかることもない。なお、天井面部７は日光の照射を洗濯物に当てることができるように透明性の素材を使用する。天井面部７、側面部８及び側面蛇腹部９はビニール等の耐水性の素材を使用し、雨が内部に入り込む事は無い。しかしながら、洗濯物自身による湿気は洗濯物自身に匂いが付く等の不利益を生んでしまう。そこで、側面部８上部に側面上方部５及び通気面部６を設け、内部に湿気がたまらないように工夫がなされている。側面上方部５は、側面部８よりその上部が内方向に傾斜して設置されており、さらにその上方に通気面部６が側面上方部５に着接して凹状に設置されている。このため、雨水が直接通気面部６にかかることはなく、効果的に湿気を逃がすことができる。なお、通気面部６はメッシュ等の通気系の素材、側面上方部５には、耐水性の素材を使用する。本装置はこれにより、横からの雨にも対応することが可能であり、雨天で風が強い時でも取り付け用フックが外れない程度を限度として本装置を利用することが可能である。
【００１９】
側面蛇腹部９は、使用する場所によって２種類が考えられる。自宅側から洗濯物の状況等を観察したい場合は、一方を透明性の素材とし、他方を不透明性の素材とする事も可能である。自宅の庭や屋上等で使用する場合には側面蛇腹部９の両面を不透明性の素材を用いる事も可能である。どちらも内部は見えないので、盗難防止の役割を十分に果たす事ができる。
【００２０】
なお、雨天の場合は強い風による砂埃や花粉の心配はないので、下部は空けておいてもよい。むしろ、通気性を確保するため、下部を開けておく方が適している。
【００２１】
晴天の場合は、花粉、昆虫及び強い風による砂埃等から洗濯物を守る必要がある。天井面部７は透明性の素材を使用しているため、日光を十分に洗濯物に対して取り入れる事ができる。花粉、砂埃は風により、昆虫は自ら飛行することによりどの方向からでも洗濯物に付く可能性がある。そこで、側面蛇腹部９の下部にファスナーを設け、側面蛇腹部９の両面下部にあるファスナーを閉めることにより本装置の密封性を確保する事ができる。密封性により洗濯物自身の湿気が気になるが、通気面部６を本装置の側面上部に設けてあることにより湿気を逃がすことができる。もちろん、雨天時より密封性が確保できるので、盗難防止の役割を十分に果たす。これにより、花粉及び昆虫の洗濯物への付着を防げる。
【００２２】
使用後、収納時には、側面蛇腹部９を蛇腹にそって折り込む事により小容量化できる。天井面部７も蛇腹になっており、側面蛇腹部９と天井面部７を共に蛇腹に沿っており込む。洗濯物用物干し竿３１は横に長いため、アンテナ状、または折り曲げ状にし、アンテナ状である場合には縮めることで、折り曲げ状である場合には２箇所乃至３箇所程度で途中で折り、最後に取り付け用フックとの接点の部分で側面部のファスナーと平行になるように折り曲げる事で、小容量化が完成し、収納できる。これにより、物干し竿に固定する事無く本装置を利用できるので、引越しや他の場所で使用する際にも移動して使用できる。
【００２３】
洗濯用物干し竿３１を上述したようにアンテナ状または、折り曲げ状にできるように、折りたたまれる方向最端部の取り付け用フック３は、洗濯物用物干し竿３１に固定、回転可能に設計され、その他の取り付け用フックからは取外し可能であるように設計されるのが望ましい。
【００２４】
なお、ファスナー４は洗濯物を干したり取り込んだりする際に十分に使用できるのであれば天井面部７以外、どの場所に設置しても構わない。ファスナー４を設置すればするほど、洗濯物の干し及び取り込みはし易くなる。ただし、耐水性が担保される程度にするのが望ましい。
【００２５】
【発明の効果】
本発明の洗濯物カバー付物干し竿によれば、晴天時には花粉、昆虫、強い風による砂埃等から洗濯物を守る事ができ、雨天時には雨に濡れずに洗濯物を干す事が可能である。よって、どんな天候でも、風がある程度までであれば洗濯物を干す事ができる。さらには、洗濯物が外部から見えないため盗難防止にもなる。
【００２６】
さらには、物干し竿に掛ける構造になっており、引越しや移動等の際に取り外して持ち運びが容易であり、保管時には、側面蛇腹部にある蛇腹を用いて小容量化が出来るため、場所を取らずに保管する事が可能である。
【図面の簡単な説明】
【図１】本発明である洗濯物カバー付物干し装置の斜視図である。
【図２】本装置の側面図である。
【図３】本装置のIII−III切断図である。
【符号の簡単な説明】
１          洗濯物カバー付物干し装置
２          物干し竿
３          取り付け用フック
４          ファスナー
５          側面上方部
６          通気面部
７          天井面部
８          側面部
９          側面蛇腹部
３１        洗濯物用物干し竿
【図１】
0003612521.tif 000002
【図２】
0003612521.tif 000003
【図３】
0003612521.tif 000004